(57)【要約】  【課題】      耐火キャスタブル等の圧送装置に微粉が詰まらずに、円滑に圧送して改修処理をできるようにすることにある。  【解決手段】      コンクリートや耐火キャスタブル等を圧送する圧送治具部４に圧送装置１のポンプホッパー内に残った水を容易に抜き取り可能に水抜き口９を開閉自在に配設するとともに、モルタルペーストを注入するモルタルペースト注入口７を開閉自在に配設し、上記水抜き口９、モルタルペースト注入口７から流入する洗浄水、高圧エアーが上流のポンプ側に逆流しないように流入する洗浄水、高圧エアーを遮断可能に圧送治具部４にスライドゲート１１を開閉可能に配設している。水抜き口９に水注入具２２を接続可能に形成し、モルタルペースト注入口に高圧エアー供給具２２を接続可能に形成し、水抜き口９をモルタルペースト注入口７の直下に設けるようにすることが好ましい。【選択図】    図３
2006038310.tif 000002
【特許請求の範囲】
【請求項１】
コンクリートや耐火キャスタブル等を圧送する耐火キャスタブル等の圧送装置であっ
て、
このコンクリートや耐火キャスタブル等を圧送する圧送治具部に圧送装置のポンプホ
ッパー内に残った水を容易に抜き取り可能に水抜き口を開閉自在に配設するとともに、モ
ルタルペーストを注入するモルタルペースト注入口を開閉自在に配設し、
上記水抜き口、モルタルペースト注入口から流入する洗浄水、高圧エアーが上流のポ
ンプ側に逆流しないように流入する洗浄水、高圧エアーを遮断可能に圧送治具部にスライ
ドゲートを開閉可能に配設したことを特徴とする耐火キャスタブル等の圧送装置。
【請求項２】
水抜き口に水注入具を接続可能に形成し、モルタルペースト注入口に高圧エアー供給
具を接続可能に形成し、水抜き口をモルタルペースト注入口の直下に設けた請求項１に記
載の耐火キャスタブル等の圧送装置。
【発明の詳細な説明】
【技術分野】
【０００１】
本発明は、冶金分野や建設工事分野等で使用される耐火キャスタブル等の圧送装置に
関するものである。
【背景技術】
【０００２】
コンクリートや耐火キャスタブル等の圧送作業では、ピストン式ポンプまたはスクイ
ズ式ポンプを用いて圧送している。その圧送開始時には、材料の水分が圧送配管または圧
送ホースの管壁にとられ、材料が詰まるのを防止するために水を送る。
【０００３】
この後に材料を送るが、水と材料が直接接触すると、材料中の微粉部だけが水に溶け
出し、微粉と粒が分離する。このとき、粒だけになった材料は流動性がなくなり、圧送配
管に詰まる。これを防止するため、モルタルペースト等を送り、それから材料を送ってい
る。圧送作業終了後、配管内に残った材料を排出する手順は、開始時と逆になる。
【０００４】
しかし、圧送開始時にポンプホッパーからモルタルペーストを入れると、ホッパーに
残っている水によりモルタルペーストが薄まり、材料の微粉と粒が分離する場合があり、
配管詰まりが発生する危険がある。
【０００５】
また、圧送作業終了後、配管内に残った材料を排出する際には、モルタルペーストを
作ってポンプホッパーに入れ、ある程度圧送して水を入れ、さらに圧送する。その後、配
管およびホース内を水洗いしておかなければならない。材料が配管およびホースに残って
いると、次回に圧送するときに、詰まりの原因となる。
【０００６】
また、湿式吹付け施工でも、特開２００２−３９６８８のように、吹付けノズル部ま
で上記と同様にしてコンクリートまたは耐火キャスタブル等を圧送し、吹付けノズル部で
高圧エアーと急結剤を混合して吹付ける。このため、上記と同様の問題が発生する。
【特許文献１】特開２００２−３９６８８
【発明の開示】
【発明が解決しようとする課題】
【０００７】
そのため、圧送配管に詰まりが生じないように圧送開始時にポンプホッパーに水を入
れ、圧送して配管を濡らした後、ポンプホッパー内の水を抜き取り、モルタルペーストを
配管に入れて、水と材料が直接接触しないようにすることが課題である。このためには、
ポンプホッパー内に残った水を容易に抜き取ることができることが必要である。また、容
易にモルタルペーストを配管に注入できることが必要である。
【０００８】
さらに、圧送作業終了後に配管内の材料を排出することが必要であり、材料を配管か
ら押し出した後、水を配管内に注入し、高圧エアーで押し出して、配管内を洗浄すること
が課題である。
【課題を解決するための手段】
【０００９】
本発明は、上記のような点に鑑みたもので、上記の課題を解決するために、コンクリ
ートや耐火キャスタブル等を圧送する耐火キャスタブル等の圧送装置であって、このコン
クリートや耐火キャスタブル等を圧送する圧送治具部に圧送装置のポンプホッパー内に残
った水を容易に抜き取り可能に水抜き口を開閉自在に配設するとともに、モルタルペース
トを注入するモルタルペースト注入口を開閉自在に配設し、上記水抜き口、モルタルペー
スト注入口から流入する洗浄水、高圧エアーが上流のポンプ側に逆流しないように流入す
る洗浄水、高圧エアーを遮断可能に圧送治具部にスライドゲートを開閉可能に配設したこ
とを特徴とする耐火キャスタブル等の圧送装置を提供するにある。
【００１０】
また、水抜き口に水注入具を接続可能に形成し、モルタルペースト注入口に高圧エア
ー供給具を接続可能に形成し、水抜き口をモルタルペースト注入口の直下に設けたことを
特徴とする耐火キャスタブル等の圧送装置を提供するにある。
【発明の効果】
【００１１】
本発明の耐火キャスタブル等の圧送装置は、コンクリートや耐火キャスタブル等を圧
送する圧送治具部に圧送装置のポンプホッパー内に残った水を容易に抜き取り可能に水抜
き口を開閉自在に配設するとともに、モルタルペーストを注入するモルタルペースト注入
口を開閉自在に配設したので、圧送開始時にポンプホッパーに水を入れ、圧送して配管を
濡らした後、ポンプホッパー内に残った水を容易に抜き取ることができる。そして、モル
タル注入口から容易にモルタルペーストを配管に注入できる。
【００１２】
また、上記水抜き口、モルタルペースト注入口から流入する洗浄水、高圧エアーが上
流のポンプ側に逆流しないように流入する洗浄水、高圧エアーを遮断可能に圧送治具部に
スライドゲートを開閉可能に配設したので、圧送作業終了後に材料を配管から押し出した
後、洗浄水を配管内に容易に流入し、高圧エアーを流入して押し出して配管内を奇麗に洗
浄することができる。
【００１３】
また、水抜き口に水注入具を接続可能に形成し、モルタルペースト注入口に高圧エア
ー供給具を接続可能に形成し、水抜き口をモルタルペースト注入口の直下に設けることに
よって、上記のように水の抜き取り、モルタルペーストを注入できるとともに、モルタル
ペースト注入口から水抜き状態を容易に確認できる。
【発明を実施するための最良の形態】
【００１４】
本発明の耐火キャスタブル等の圧送装置は、コンクリートや耐火キャスタブル等を圧
送する耐火キャスタブル等の圧送装置であって、このコンクリートや耐火キャスタブル等
を圧送する圧送治具部に圧送装置のポンプホッパー内に残った水を容易に抜き取り可能に
水抜き口を開閉自在に配設するとともに、モルタルペーストを注入するモルタルペースト
注入口を開閉自在に配設し、上記水抜き口、モルタルペースト注入口から流入する洗浄水
、高圧エアーが上流のポンプ側に逆流しないように流入する洗浄水、高圧エアーを遮断可
能に圧送治具部にスライドゲートを開閉可能に配設したことを特徴としている。
【００１５】
耐火キャスタブル等の圧送装置１は、図１のように圧送ポンプ２にポンプホッパー３
を接続して、圧送治具部４を介してフレキシブルホース等の圧送管５をフランジ接続した
りして、高炉等の所定の改修部位等を補修できるようにしている。
【００１６】
この圧送治具部４は、図２のように所定径の配管の圧送治具本体６の中央部分の上部
側に３０〜５０ｍｍ口径のモルタルペースト注入口７を連結して注入口キャップ８を開閉
可能に取着し、その下方に、特に直下が好ましく、１０〜３０ｍｍ口径の水抜き口９を設
けて水抜き口プラグ１０を開閉可能に取着し、モルタルペースト注入口７からモルタルペ
ーストを注入したり、高圧エアーを流入したり、水抜き口９からポンプホッパー３の残留
水を水抜きしたり、洗浄水を流入して洗浄できるようにしている。
【００１７】
また、圧送治具部４の上記したモルタルペースト注入口７、水抜き口９よりも上流側
にスライドゲート１１を配設し、通常は開通してポンプホッパー３の材料を圧送管５側に
送給できるようにしているとともに、モルタルペースト注入口７や水抜き口９から高圧水
や洗浄水を流入して洗浄するときに、その上流側に逆流しないようにスライドゲート１１
を閉じることができるようにしている。
【００１８】
スライドゲート１１は、図３（ａ）、（ｂ）のように圧送治具本体６にゲートスライ
ド用フランジ１２、１３を接続してこのゲートスライド用フランジ１２、１３間に圧送用
開口１４、仕切り１５を設けた所定の長さのスライドゲート１１をシール材１６、１７を
介挿して摺動可能に装着し、スライドゲート１１を上下に摺動することによって、圧送治
具本体６の上流側を開閉できるようにしている。なお、ゲートスライド用フランジ１２、
１３は固定ボルト１８で水密的に連結でき、スライドゲート１１も固定孔１９に固着ボル
ト２０を挿通して所定位置に固定できる。
【００１９】
上記したような圧送治具部４のモルタルペースト注入口７や水抜き口９には、図４の
ように高圧エアー供給具２１、洗浄水の水注入具２２をそれぞれ螺合したりして接続する
ようにし、高圧エアーホース２３、水ホース２４を着脱自在に接続してボールバルブ等の
切替弁２５、２６を操作して高圧エアー、洗浄水を流入できるようにしている。
【００２０】
なお、高圧エアー供給具２１、水注入具２２は、モルタルペースト注入口７、水抜き
口９を利用して接続したが、別途に設けたり、三方口とするなど本発明の趣旨にもとづい
て適宜な変形態様を実施することができる。
【実施例】
【００２１】
図１以下は、本発明のＡ社製鉄所での高炉の改修用に試作した一実施例を示すもので
、図２のように圧送治具装置１の圧送治具本体６の上部に５０ｍｍ口径のモルタルペース
ト注入口７を接続し、その直下に２０ｍｍ口径の水抜き口９を接続し、そのやや上流側に
図２、図３（ａ）、（ｂ）のようにスライドゲート１１を摺動可能に装着したものである
。
【００２２】
圧送ポンプ２、ポンプホッパー３、圧送治具部４、圧送管５を接続してポンプホッパ
ー３に水を入れ、まず水を圧送して配管を濡らした後、圧送治具部４の水抜き口９を開け
、ポンプホッパー３および圧送治具部４から水を抜く。ついで水抜き口９を塞ぎ、上部の
モルタルペースト注入口７を開け、水が抜けたことを確認し、市販のモルタルペースト注
入器具を介してモルタルペーストを注入した。約５０ｋｇ注入した後、モルタルペースト
注入口７を塞ぎ、圧送材料の耐火キャスタブルをポンプホッパー３に入れて圧送した。
【００２３】
図２のように圧送治具部４の上部にモルタルペースト注入口７を設け、その直下に水
抜き口９を設けることにより、容易に水抜きができてモルタルペーストを注入できた。水
抜き口９はモルタルペースト注入口７の直下にあるので、モルタルペースト注入口７から
水抜きを容易に確認できた。
【００２４】
また、圧送治具部４のスライドゲート１１を圧送治具部４を塞ぐ方ヘスライドさせて
、スライドゲート部からエアーが漏れないようにボルト１８等で締め付け、（このとき、
エアーが漏れなければボルトで締め付けることにこだわらない）モルタルペースト注入口
７および水抜き口９を開け、この部位の材料を除いた。
【００２５】
モルタルペースト注入口７に図４のようにバルブ付き高圧エアー供給具２１を接続し
、水抜き口９にバルブ付き水注入具２２を接続し、約０．６ＭＰａの高圧エアーをコンプ
レッサー等から高圧エアー供給具２１に送り、バルブを開いて配管に高圧エアーを送り、
配管内の材料が押し出した。
【００２６】
排出終了後、高圧エアー供給具２１のバルブを閉じ、水注入具２２のバルブを開け、
配管内に洗浄水を約１０リットル入れ、水注入具２２のバルブを閉め、高圧エアー供給具
２１のバルブを開け、配管を水と高圧エアーで洗浄した。この操作を３〜４回繰り返すこ
とで、配管を外すことなく配管内部を完全に洗浄できた。
【００２７】
このようにスライドゲート１１をモルタルペースト注入口７よりポンプ側に設け、こ
れで配管を塞ぐことにより、高圧エアーがポンプ側に逆流しないようにでき、本発明の圧
送治具部を使用することにより大幅な作業工数の短縮が図れた。
【図面の簡単な説明】
【００２８】
【図１】本発明の一実施例の全体概要図、
【図２】同上の圧送治具部の説明用図、
【図３】同上のスライドゲート部の横断面図（ａ）と側断面図（ｂ）、
【図４】同上の圧送治具部の高圧エアー、洗浄水の供給説明用分解図。
【符号の説明】
【００２９】
１…圧送装置            ２…圧送ポンプ            ３…ポンプホッパー
４…圧送治具部          ５…圧送管                ６…圧送治具本体
７…モルタルペースト注入口                        ９…水抜き口
１１…スライドゲート    ２１…高圧エアー供給具    ２２…水注入具
【図１】
2006038310.tif 000003
【図２】
2006038310.tif 000004
【図３】
2006038310.tif 000005
【図４】
2006038310.tif 000006